(57)【特許請求の範囲】
【請求項１】
カラオケ演奏装置を介してカラオケ曲を演奏すると同時に、演奏中のカラオケ曲に対応する歌詞を表示装置上に表示するカラオケ装置において、
前記演奏中のカラオケ曲の早送り又は巻き戻しを指示する演奏位置指示手段と、
前記カラオケ曲の演奏開始を指示する演奏開始指示手段と、
制御手段とを有し、
前記カラオケ曲の歌詞は前記表示装置に表示される画面毎に対応する歌詞部分に分割されるとともに、分割された歌詞部分はそれぞれ表示装置の表示画面と対応付けられており、
前記制御手段は、
前記カラオケ曲の演奏中に前記演奏位置指示手段から入力があった場合に演奏を一時停止し、
前記演奏位置指示手段による入力が早送りである場合には演奏が一時停止された時点で表示装置に表示されている歌詞部分の次の歌詞部分に対応する表示画面を表示するとともに、演奏位置指示手段による入力が巻き戻しである場合には演奏が一時停止された時点で表示装置に表示されている歌詞部分の前の歌詞部分に対応する表示画面を表示し、
演奏が一時停止されている状態で前記演奏開始指示手段による入力があるまで所定の状態で演奏開始をＷＡＩＴし、前記演奏開始指示手段による入力があった場合に現在表示されている表示画面に対応する歌詞部分から演奏を開始し、
前記所定の状態とは、早送りを指示する演奏位置指示手段による入力があった場合には、現在表示されている歌詞部分の次の歌詞部分に対応する表示画面を表示し、巻き戻しを指示する演奏位置指示手段による入力があった場合には、現在表示されている歌詞部分の前の歌詞部分に対応する表示画面を表示する状態である、
ように制御することを特徴とするカラオケ装置。
【請求項２】
前記各分割された歌詞部分は、所定の符号によって特定されていることを特徴とする請求項１のカラオケ装置。
【請求項３】
前記所定の符号を指示する符号指示手段を有し、
前記制御手段は、演奏が一時停止された時点で前記符号指示手段による入力があった場合には符号指示手段から入力された符号により特定された歌詞部分に対応する画面を表示
するように制御することを特徴とする請求項２のカラオケ装置。
【発明の詳細な説明】
【０００１】
【発明の属する技術分野】
本発明は、演奏中の曲の歌詞字幕を表示可能なカラオケ装置に関し、特に、曲の途中での中断、早送り、戻しが可能であり、早送り、戻しの指示を歌詞字幕を使用して行った後、再び指定部分からの演奏再開が可能なカラオケ装置に関するものである。
【０００２】
【従来の技術】
一般にカラオケ装置には、利用者が歌詞を覚えていなくてもカラオケ曲を歌えるように、曲演奏の進行に同期して歌詞字幕が表示される表示装置が備えられている。表示装置には、カラオケ曲の雰囲気に合わせた背景画像と共に、カラオケ曲の歌詞字幕を適当な長さのフレーズに区切って表示し、さらに、曲の進行に合わせて歌詞字幕の内、現在の該当部分が分かりやすく表示されるのが一般的である。利用者は通常、表示された歌詞字幕を見ながら曲の進行にしたがって歌うのであるが、利用者自身や観客の希望等により、曲のある部分の演奏を省略したい、あるいは、同じ部分をもう一度歌いたいなど、曲の進行を変化させたい場合がある。例えば、曲の途中の難しい部分だけは飛ばしてしまいたい場合や、１番だけを繰り返し歌いたい、あるいは気に入った所望部分をもう一度歌いたいといった場合である。
【０００３】
従来のカラオケ装置においては、一般にそのような利用法は考慮されていない。従って、一般にカラオケ曲の演奏途中で演奏を中止するとその曲そのものが終了してしまい、次の予約曲があれば次の曲の演奏が開始されてしまう。また、演奏中にその速度を変えるには、演奏を続けたまま演奏速度を変える方法しかない。従って、例えば曲の一部分を省略して早送りしたい場合は、省略したい部分に差し掛かったら演奏速度を速くすることにより、希望の曲部分までを速く演奏させて行っていた。また、戻す場合には、一旦曲演奏を中止し改めて同じ曲の演奏を先頭から開始して、同様に演奏速度を速くすることにより希望の曲部分までを飛ばして行っていた。
【０００４】
【発明が解決しようとする課題】
しかしながら、上記従来の方法は非常に煩雑であり、希望の部分に到るまでに大変時間がかかる。例えば、早送りを行う場合、まず、不要な部分に差し掛かったら演奏速度を速くする。さらに、速い演奏を聞きながら、必要な部分に差し掛かったらすばやく演奏速度を元に戻すという動作が必要である。また、戻す場合はさらに面倒である。すなわち、一旦演奏を中止し、次の予約曲があれば割り込み等の手続きを行い、もう一度同じ曲を演奏する。そして演奏速度を速くして必要な部分までを聞き飛ばし、演奏速度を元に戻す必要がある。
【０００５】
そのうえ、この方法では正確な早送り、戻しができなかった。例えば、早送りをしようとして、演奏速度を戻すタイミングが遅れれば、歌いたい部分まで飛ばしてしまうことになる。戻す場合も同様である。さらに、演奏速度を速くした演奏は、大変聞き苦しい音声となり、聞いている利用者に不快な印象を与えるものである。
【０００６】
本発明は、前記従来における問題点を解消するためになされたものであり、簡単な手続きで、正確に速く、早送り、戻しをすることが可能なカラオケ装置を提供することを目的とする。
【０００７】
【課題を解決するための手段】
前記目的を達成するため請求項１に係るカラオケ装置は、カラオケ演奏装置を介してカラオケ曲を演奏すると同時に、演奏中のカラオケ曲に対応する歌詞を表示装置上に表示するカラオケ装置において、前記演奏中のカラオケ曲の早送り又は巻き戻しを指示する演奏位置指示手段と、前記カラオケ曲の演奏開始を指示する演奏開始指示手段と、制御手段とを有し、
前記カラオケ曲の歌詞は前記表示装置に表示される画面毎に複数の歌詞毎に分割されるとともに、分割された歌詞部分はそれぞれ表示装置の表示画面と対応付けられており、前記制御手段は、前記カラオケ曲の演奏中に前記演奏位置指示手段から入力があった場合に演奏を一時停止し、前記演奏位置指示手段による入力が早送りである場合には演奏が一時停止された時点で表示装置に表示されている歌詞部分の次の歌詞部分に対応する表示画面を表示するとともに、前記演奏位置指示手段による入力が巻き戻しである場合には演奏が一時停止された時点で表示装置に表示されている歌詞部分の前の歌詞部分に対応する表示画面を表示し、演奏が一時停止されている状態で前記演奏開始指示手段による入力があるまで所定の状態で演奏開始をＷＡＩＴし、前記演奏開始指示手段による入力があった場合に現在表示されている表示画面に対応する歌詞部分から演奏を開始し、前記所定の状態とは、早送りを指示する演奏位置指示手段による入力があった場合には、現在表示されている歌詞部分の次の歌詞部分に対応する表示画面を表示し、巻き戻しを指示する演奏位置指示手段による入力があった場合には、現在表示されている歌詞部分の前の歌詞部分に対応する表示画面を表示する状態である、ように制御することを特徴とする。
【０００８】
【０００９】
請求項２に係るカラオケ装置は、請求項１のカラオケ装置において、前記各分割された歌詞部分は、所定の符号によって特定されていることを特徴とする。
【００１０】
また、請求項３に係るカラオケ装置は、請求項２のカラオケ装置において、前記所定の符号を指示する符号指示手段を有し、前記制御手段は、演奏が一時停止された時点で前記符号指示手段による入力があった場合には符号指示手段から入力された符号により特定された歌詞部分に対応する画面を表示するように制御することを特徴とする。
【００１１】
【００１２】
【発明の実施の形態】
以下、本発明に係るカラオケ装置について、本発明を具体化した実施形態に基づき図面を参照しつつ詳細に説明する。まず、本実施形態に係るカラオケ装置の構成について図１及び図２に基づき説明する。図１はカラオケ装置の概略構成を示すブロック図である。図１において、本実施形態のカラオケ装置は、基本的に、利用者が各種入力を行うためのリモコン１０と、リモコン１０からの入力にしたがって、カラオケ演奏を行うカラオケ本体２０とからなる。また、図２はリモコン１０の外観を示す説明図である。
【００１３】
図２において、リモコン１０の中央部にはカラオケ曲の選曲時に曲番号を入力したり、希望の歌詞位置を番号で入力するための番号キー１１が＜１＞から＜０＞まで設置されている。さらにその下部には歌詞表示の早送りをするための早送りキー１２、歌詞表示の戻しをするための戻しキー１３、歌詞位置を選択した後演奏を再開するための演奏開始キー１４が配列されている。さらに、カラオケ曲の選曲を行う際に使用される中止キー１６、確定キー１７も備えられている。尚、この図には示されていないが、演奏のボリューム、演奏速度、演奏曲の音程等、カラオケ曲の演奏状況を指示するためのキー、あるいは、カラオケ曲の選曲や予約を円滑に行うためのキーが多数備えられている。また、図２において、多数のキーの上部には液晶画面１８が備えられており、早送り、戻しなどのキー入力状態の表示を行う。また、選曲時には選曲内容の確認、あるいは演奏指示状況の表示等に用いられる。
【００１４】
次に、図１において、リモコン１０及びカラオケ本体２０の内部構成を説明する。リモコン１０には、図２に示したように利用者が入力するためのキーとして、番号キー１１、早送りキー１２、戻しキー１３、演奏開始キー１４がある。図１においては、その他のキーについては省略する。さらにリモコン１０内には、各キーが入力されたとき、入力された指示内容をリモコン１０からカラオケ本体２０へ送信するための送信装置１５が設けられている。
【００１５】
一方、カラオケ本体２０は、ＣＰＵ２１を中心として構成され、リモコン１０からの入力を受信するための受信装置２２、カラオケ曲の演奏の際に背景画や歌詞を表示する表示装置２３、カラオケ曲データを記憶する記憶装置２４、カラオケ音声を出力する音声出力装置２５が接続されている。このほかにもカラオケ本体２０には、図示していないが、利用者の歌声を入力するマイクや、ミキシング装置、アンプなど、カラオケ演奏に必要な各種の装置が設けられている。
【００１６】
次に、前記のように構成されたカラオケ装置において、早送り、戻しの操作を行う場合の動作について図３、図４に基づき説明する。図３はカラオケ装置本体２０のメインルーチンのフローチャートであり、図４は利用者によりリモコン１０から早送りキー１２、戻しキー１３のいずれかが入力された場合に実行される曲演奏制御プログラムのフローチャートである。尚、ここでは、説明のため図５の歌詞内容の曲であるとする。図５は、カラオケ曲の歌詞を表示画面毎に区切った歌詞データ１００の説明図である。
【００１７】
図５において、このカラオケ曲の歌詞は、Ｖ１〜Ｖ６が各１画面に対応する歌詞データであり、Ｖｎはｎ画面目に表示される歌詞データである。また、歌詞部分は１画面目が＜あいうえお＞、２画面目が＜かきくけこ＞等と、各画面５文字ずつの字幕表示であり、各画面分歌詞データの先頭には歌詞データ番号として〔１〕、〔２〕等の番号が付加されている。なおここでは、全歌詞表示が各画面１行ずつであるとしたが、１画面内２行以上の歌詞表示の場合には、各行、あるいは適当なフレーズの区切りに番号を付加することにより、１画面内を複数部分に区切って使用することもできる。
【００１８】
カラオケ本体２０の電源が投入されると、図３のメインルーチンが始動し、ステップ（以下、Ｓと略記する）１において、ＲＯＭ、ＲＡＭのチェック等の初期設定が行われる。続いて、カラオケ曲の選曲が行われたかどうかを判断する（Ｓ２）。選曲が行われていないと判断した場合は（Ｓ２：ＮＯ）、カラオケ装置２０の終了が指示されたかどうかを判断する（Ｓ３）。終了が指示されていなければ（Ｓ３：ＮＯ）、選曲されるか（Ｓ２：ＹＥＳ）、終了が指示されるか（Ｓ３：ＹＥＳ）するまで待つ。選曲された場合は（Ｓ２：ＹＥＳ）、図４に示す曲演奏制御ルーチンへ進む（Ｓ４）。
【００１９】
図４において、曲演奏制御ルーチンが開始されると、まず、選曲されたカラオケ曲の演奏が先頭から開始される（Ｓ１０）。同時に表示装置２３には、曲の初めの部分の歌詞データ１００であるＶ１、すなわち＜〔１〕あいうえお＞が表示される（図６参照）。さらに、演奏の進行と共に、Ｖ２＜〔２〕かきくけこ＞、Ｖ３＜〔３〕さしすせそ＞と次々と表示される。
【００２０】
ここで、利用者によってリモコン１０から早送りキー１２、戻しキー１３のいずれかのキーが入力されたかどうかを判断する（Ｓ１１）。入力されていない時には（Ｓ１１：ＮＯ）、カラオケ曲が最後まで演奏され、終了したかどうかを判断する（Ｓ１２）。曲が終了したと判断されたときは（Ｓ１２：ＹＥＳ）、曲演奏制御ルーチンを終了し、メインルーチンへ戻る。あるいは、曲演奏が終了していないと判断されたときは（Ｓ１２：ＮＯ）、曲演奏を継続し、早送りキー１２または戻しキー１３の入力があるか（Ｓ１１：ＹＥＳ）、曲が終了する（Ｓ１２：ＹＥＳ）まで待つ。一方、早送りキー１２あるいは戻しキー１３が入力されたと判断されたときには（Ｓ１１：ＹＥＳ）、カラオケ曲の演奏を一時中断する（Ｓ１３）。
【００２１】
ここで、一例として、歌詞データ１００のＶ３を表示しつつ曲演奏をしている時に早送りキー１２あるいは戻しキー１３が入力された場合について説明する。Ｓ１３においてカラオケ曲の演奏を一時中断すると、同時に歌詞データ１００の表示の進行も一時中断される。従って、表示装置２３には図７のように表示された状態で中断することになる。
【００２２】
ここで次に、入力されたキーがいずれのキーであったかを判断する。早送りキー１２が入力されたと判断されれば（Ｓ１４：ＹＥＳ）、次の画面を表示する（Ｓ１５）。ここでは、Ｖ３を表示して中断しているので、次のＶ４が表示される。従って、表示装置２３は、図８の表示となる。あるいは、早送りキー１２が入力されず（Ｓ１４：ＮＯ）、戻しキー１３が入力されたと判断されれば（Ｓ１６：ＹＥＳ）、前の画面を表示する（Ｓ１７）。ここでは、Ｖ３を表示して中断しているので、前のＶ２が表示される。従って、表示装置２３は、図９の表示となる。
【００２３】
Ｓ１１において早送りキー１２か戻しキー１３のいずれかが入力されているので、ここでは、Ｓ１４かＳ１６のいずれかがＹＥＳとなり、表示装置２３にＶ４またはＶ２が表示された状態でＳ１４に戻る。ここで、さらに次のキー入力を待つ。早送りキー１２が入力されたと判断されれば（Ｓ１４：ＹＥＳ）、次の画面を表示する（Ｓ１５）。あるいは、早送りキー１２が入力されず（Ｓ１４：ＮＯ）、戻しキー１３が入力されたと判断されれば（Ｓ１６：ＹＥＳ）、前の画面を表示する（Ｓ１７）。あるいは、戻しキー１３も入力されず（Ｓ１６：ＮＯ）、番号キー１１が入力されたと判断されれば（Ｓ１８：ＹＥＳ）、指定された番号の画面を表示する（Ｓ１９）。例えば、Ｖ５を希望する場合は、番号キー１１の＜５＞を入力する。この時、表示装置２３は、図１０の表示となる。
【００２４】
次に、演奏開始キー１４が入力されたかどうかを判断する（Ｓ２０）。演奏開始キー１４が入力されていないと判断されれば（Ｓ２０：ＮＯ）、再び、早送りキー１２、戻しキー１３、番号キー１１が入力されたかどうかを判断する。入力されていれば、それぞれのキーに対応する処理をし、演奏開始キー１４が入力される（Ｓ２０：ＹＥＳ）まで、それらのキー入力に対応する処理をする。利用者は演奏を希望する歌詞位置を表示装置２３に表示したら、演奏開始キー１４を入力する。演奏開始キー１４が入力されたと判断されたとき（Ｓ２０：ＹＥＳ）、その時点で表示装置２３に表示されている歌詞データ１００の字幕部分より演奏を再開する。
【００２５】
再び、早送りキーあるいは戻しキーが入力されれば（Ｓ１１：ＹＥＳ）、同様の処理を行い、演奏中のカラオケ曲が終了した時（Ｓ１２：ＹＥＳ）、曲演奏制御ルーチンを終了し、メインルーチンに戻る。
【００２６】
前記したように、リモコン１０からのキー入力に対応して、歌詞表示のみを変更し、演奏は行わないので、前進、後退を自由に行うことができる。したがって、すばやく正確に、希望の歌詞位置を検索することができ、きわめて容易に希望の部分から歌うことができる。
【００２７】
以上詳細に説明した通り本実施形態のカラオケ装置では、演奏中のカラオケ曲の所望の歌詞部分を表示装置２３に表示して、演奏開始キー１４を入力することによりそこから演奏を開始することが可能となる。
【００２８】
また、所望の歌詞部分を選択する際には、早送りキー１２、戻しキー１３を用いることによって、カラオケ曲の歌詞を前進又は後退させつつ送り、表示することができる。これによって、所望の歌詞部分を選択する際に、容易に速く所望の歌詞部分に到達することが可能となる。
【００２９】
また、カラオケ曲の歌詞は、表示装置の一画面分に対応する歌詞を一単位とし、あるいは、一画面分の歌詞を複数のフレーズに分割して一単位とし、予め歌詞部分として分割されている。さらに、各歌詞部分には所定の番号が設定されており、番号キー１１によって、各歌詞部分を選択することができる。したがって、所望の歌詞部分を選択する際に、容
易に速く所望の歌詞部分に到達することが可能となる。
【００３０】
なお、本発明は前記実施形態に限定されるものではなく、本発明の趣旨を逸脱しない範囲内で種々の改良、変形が可能であることはもちろんである。
【００３１】
【発明の効果】
以上説明した通り請求項１のカラオケ装置では、演奏位置指示手段と、演奏開始指示手段と、制御手段を有し、カラオケ曲の歌詞は表示装置に表示される画面毎に対応する歌詞部分に分割されるとともに、分割された歌詞部分はそれぞれ表示装置の表示画面と対応付けられており、制御手段は、カラオケ曲の演奏中に演奏位置指示手段から入力があった場合に演奏を一時停止し、演奏位置指示手段による入力が早送り又は巻き戻しである場合には演奏が一時停止された時点で表示装置に表示されている歌詞部分の次又は前の歌詞部分に対応する表示画面を表示し、演奏開始指示手段による入力があるまでは、早送り又は巻き戻しの指示がある度に、表示画面が変化することにより、演奏を一時停止させた状態で歌詞部分の選択を自由にすることができ、すばやくかつ正確に歌詞部分を選択することが可能となる。
【００３２】
【００３３】
また、請求項２のカラオケ装置では、表示装置の画面毎に分割され、且つ、表示装置の各表示画面と対応付けられたカラオケ曲の各歌詞部分は所定の符号により特定されているので、所望の歌詞部分を選択する際に、容易に速く所望の歌詞部分に到達することが可能となる。
【００３４】
さらに、請求項３のカラオケ装置では、演奏が一時停止された時点で符号指示手段からの入力に基づき、予め分割された歌詞部分から、所望の歌詞部分をその歌詞部分に付加された符号で選択することができる。したがって、所望の歌詞部分を選択する際に、容易に速く所望の歌詞部分に到達することが可能となる。
【００３５】
以上の通り本発明は、演奏を所望の歌詞部分を表示装置の表示により選択することが可能であり、もって簡単な手続きで、正確に早く、早送り、戻しをすることが可能なカラオケ装置を提供することが出来る。
【図面の簡単な説明】
【図１】    カラオケ装置の構成を示すブロック図である。
【図２】    カラオケ装置に使用するリモコンの外観を示す説明図である。
【図３】    カラオケ装置のメインルーチンの動作を示すフローチャートである。
【図４】    カラオケ装置の曲演奏制御ルーチンの動作を示すフローチャートである。
【図５】    カラオケ曲の歌詞データの構成を示す説明図である。
【図６】    表示装置にカラオケ曲の歌詞字幕Ｖ１が表示された状態を示す説明図である。
【図７】    表示装置にカラオケ曲の歌詞字幕Ｖ３が表示された状態を示す説明図である。
【図８】    表示装置にカラオケ曲の歌詞字幕Ｖ４が表示された状態を示す説明図である。
【図９】    表示装置にカラオケ曲の歌詞字幕Ｖ２が表示された状態を示す説明図である。
【図１０】    表示装置にカラオケ曲の歌詞字幕Ｖ５が表示された状態を示す説明図である。
【符号の説明】
１０  リモコン
１１  番号キー
１２  早送りキー
１３  戻しキー
１４  演奏開始キー
２０  カラオケ本体
２３  表示装置
１００  歌詞データ
【図１】
0004005655.tif 000002
【図２】
0004005655.tif 000003
【図３】
0004005655.tif 000004
【図４】
0004005655.tif 000005
【図５】
0004005655.tif 000006
【図６】
0004005655.tif 000007
【図７】
0004005655.tif 000008
【図８】
0004005655.tif 000009
【図９】
0004005655.tif 000010
【図１０】
0004005655.tif 000011